(57)【要約】【課題】開放状態を一時的に保持する扉ストッパ装置と保護板ストッパ装置をあわせ持つ安全に機器の点検や施工作業が容易に行える電気電子機器収納用キャビネットを提供する。【解決手段】本体２にはステー受け具１０が固着され、扉４の内面にはステー格納具１１が固着されステー受け具１０とステー格納具１１とをステー１２で係止した扉ストッパ装置と、保護板８には扉４が開放保持状態にあるときステー１２に干渉することなく保護板８が回動可能な切り込み１７を施し、又、保護板８にはストッパ機能を有する保護板用蝶番７より保護板８の開放状態を保持する保護板ストッパ装置をあわせ持つキャビネット構造とした。【選択図】図１
2010174445.tif 000002
【特許請求の範囲】
【請求項１】
本体に設けたステー受け具と扉に設けたステー格納具とをステーで係止し該扉の開放状態を保持する扉ストッパ装置と、充電部を保護する保護板には該保護板の開放状態を保持するストッパ機能を有する保護板用蝶番により蝶着された保護板ストッパ装置とをあわせ持つことを特徴とする電気電子機器収納用キャビネット。
【請求項２】
充電部を保護する保護板に切り込みを設け、本体には前記切り込みに対応する位置にステー受け具を設け、扉の内面には該扉を開放状態に保持するステーを格納するステー格納具を設け、該ステーの一端を前記ステー受け具に他端を前記ステー格納具に係止したとき該ステーは前記保護板の前記切り込みに位置し、保護板を閉状態にしたとき前記切り込みと前記ステー受け具との隙間が最小となることを特徴とする請求項１に記載の電気電子機器収納用キャビネット。
【請求項３】
本体に蝶着され充電部を保護する保護板の、該保護板に設けた蝶番軸が該本体に固着した略Ｕ形状の保護板用蝶番支持具の一端に設けた蝶番軸挿入穴に挿入し、該保護板の回動範囲を制限する回動ストッパの係止部の回動軌跡上に、略Ｕ形状の保護板用蝶番支持具の底面に垂直方向に付勢するストッパピンの頭部が位置する構成において、前記回動ストッパの係止部が該ストッパピンの頭部を押し下げ通過後該ストッパピンが復元し、前記回動ストッパの係止部が該ストッパピンの頭部に当接し保護板の閉動作を阻止することを特徴とする請求項１に記載の電気電子機器収納用キャビネット。
【発明の詳細な説明】
【技術分野】
【０００１】
本発明は、扉の開放状態を一時的に保持する扉ストッパ装置と、内部機器及び充電部を保護する蝶着構造の保護板の開放状態を一時的に保持する保護板ストッパ装置とをあわせ持つ電気電子機器収納用キャビネットに関するものである。
【背景技術】
【０００２】
一般に電気電子機器収納用キャビネットには施工や点検作業時の安全性や容易性のため、強風や人体あるいは物体の衝突などによる外力により扉が閉鎖することのないように、扉の開放状態を一時的に保持する扉ストッパ機構が設けてある（例えば、特許文献１参照。）。
【０００３】
以下、従来の扉開閉装置について説明する。機器筐体１２の開口側および扉１３側のいずれか一方に設けられるストッパ係止具１５と、他方に設けられるストッパ位置可変係止具１６とこれらのストッパ係止具１５とストッパ位置可変係止具１６との間に掛け渡され係止される係止メンバ１７により扉を開放状態に保持する構造である。
【先行技術文献】
【特許文献】
【０００４】
【特許文献１】特開２００５−３１４９７４号公報
【発明の概要】
【発明が解決しようとする課題】
【０００５】
この種のキャビネットにはキャビネット内部に内部機器及び充電部を保護する保護板が設けられている。保護板の構造はねじ止め等による着脱構造もあるが、施工作業の利便性から蝶着による開閉構造とするのが一般的であるが、このような開閉構造の保護板では前記に説明したように強風や人体あるいは物体の衝突などによる外力により保護板が閉鎖することのないように、扉ストッパ装置と同様に保護板ストッパ装置も考慮する必要がある。
【０００６】
しかしながら、引用文献の扉ストッパ装置は、前記のような保護板を有する電気電子機器収納用キャビネットでは、機器筐体１２の開口側および扉１３側に設けられたストッパ係止具１５やストッパ位置可変係止具１６が障害物となり保護板の開閉が行えなくなる問題がある。
【０００７】
そのためこのような構造のキャビネットではねじ止めによる着脱構造が一般的である。しかし施工作業の利便性から蝶着構造とするのが望ましいが前記の障害物のため困難であった。保護板の開閉が可能とするためには保護板に切り欠き加工を施し前記障害物を回避する構造も考えられるが、内部機器及び充電部を保護するための保護板に大きな開口部を設けることは安全上問題がある。
【０００８】
さらに従来の扉ストッパ装置を保護板ストッパ装置に応用するにも構造上ストッパ係止具１５やストッパ位置可変係止具１６を設けることができないなど、引用文献の扉ストッパ装置では内部機器及び充電部を保護する開閉構造の保護板を有する電気電子機器収納用キャビネットには使用できないなどの問題がある。
【０００９】
本発明は、上記の点に鑑みてなされたもので、開放状態を一時的に保持する扉ストッパ装置と保護板ストッパ装置とをあわせ持つ安全性の高い施工容易な電気電子機器収納用キャビネットを提供することを目的としたものである。
【課題を解決するための手段】
【００１０】
第１の発明では、本体に設けたステー受け具と扉に設けたステー格納具とをステーで係止し該扉の開放状態を保持する扉ストッパ装置と、充電部を保護する保護板には該保護板の開放状態を保持するストッパ機能を有する保護板用蝶番により蝶着された保護板ストッパ装置とをあわせ持つことを特徴とするものである。
【００１１】
第２の発明では、充電部を保護する保護板に切り込みを設け、本体には前記切り込みに対応する位置にステー受け具を設け、扉の内面には該扉を開放状態に保持するステーを格納するステー格納具を設け、該ステーの一端を前記ステー受け具に他端を前記ステー格納具に係止したとき該ステーは前記保護板の前記切り込みに位置し、保護板を閉状態にしたとき前記切り込みと前記ステー受け具との隙間が最小となることを特徴とするるものである。
【００１２】
第３の発明では、本体に蝶着され充電部を保護する保護板の、該保護板に設けた蝶番軸が該本体に固着した略Ｕ形状の保護板用蝶番支持具の一端に設けた蝶番軸挿入穴に挿入し、該保護板の回動範囲を制限する回動ストッパの係止部の回動軌跡上に、略Ｕ形状の保護板用蝶番支持具の底面に垂直方向に付勢するストッパピンの頭部が位置する構成において、前記回動ストッパの係止部が該ストッパピンの頭部を押し下げ通過後該ストッパピンが復元し、前記回動ストッパの係止部が該ストッパピンの頭部に当接し保護板の閉動作を阻止することを特徴とするものである。
【発明の効果】
【００１３】
第１の発明によれば、本体に蝶着された扉には該扉の開放状態を保持する扉ストッパ装置と、さらに充電部を保護する保護板には該保護板の開放状態を保持するストッパ機能を有する蝶番により蝶着された保護板ストッパ装置とをあわせ持つ構造とした。
【００１４】
したがって扉と保護板双方ともストッパ装置により開放状態が保持できるので、強風や人体あるいは物体の衝突など外力による扉と保護板の閉鎖を防ぐことができ施工や点検作業が安全且つ容易に行えるキャビネットを提供できるようになった。
【００１５】
第２の発明によれば、保護板に切り込みを施し、該切り込みに対応する位置にステー受け具を、更に扉内面にステー格納具を設け、扉を開放状態に保持するステーは前記切り込みに位置するようにした。尚、ステー受け具は保護板を閉じた時前記切り込み形状に対応した形状で前記切り込みとステー受け具との隙間が最小となるように本体に固着した。
【００１６】
したがって、従来の扉ストッパ装置ではステーやステー受け具が障害となり蝶着構造の保護板では開閉することができないためねじ止めなどによる着脱構造となっていた。しかし本発明の扉ストッパ装置は保護板に該保護板開閉時ステーやステー受け具が当たる部分に切り込みを設けて開閉可能とした。
【００１７】
さらに保護板を閉じた時、前記切り込みとステー受け具との隙間を最小にすることにより保護板を閉じた状態で人体（特に手、指）や工具が接近する開口部分がなく安全で施工作業が容易なキャビネットを提供できるようになった。
【００１８】
第３の発明によれば、蝶着構造の保護板に従来の扉ストッパ装置を応用するには本体側のステー受け具あるいは保護板の内面にステー格納具を設けることが困難であった。
【００１９】
しかし本発明の蝶着構造の保護板ストッパ装置では、保護板の回動範囲を制限する回動ストッパの係止部の回動軌跡上に、垂直方向に付勢するストッパピンの頭部が位置する構成とすることにより、前記回動ストッパの係止部が該ストッパピンの頭部を押し下げながら通過後該ストッパピンが復元し、前記回動ストッパの係止部が該ストッパピンの頭部に当接し保護板の閉動作を阻止し保護板は開放状態を保持する。
【００２０】
即ち蝶番と連動する回動ストッパと垂直方向に付勢するストッパピンを用いることによって従来施工作業時の障害となっていたステーおよびステー受け具あるいはステー格納具が不用となり、蝶着構造の保護板にも開放状態を保持する保護板ストッパ装置を設けることができ安全で施工作業が容易なキャビネットを提供できるようになった。
【図面の簡単な説明】
【００２１】
【図１】本発明の第１の実施の形態を示したキャビネットで扉および保護板を開放した斜視図である。
【図２】本発明の第２の実施の形態を示した図で図１のＡ−Ａ線の保護板および扉を閉じた状態の横断面図である。
【図３】本発明の第２の実施の形態を示した図で図１のＡ−Ａ線の保護板および扉を開いた状態の横断面図である。
【図４】本発明の第２の実施の形態を示した図で保護板が閉状態の扉を除いた正面図である。
【図５】本発明の第２の実施の形態を示した図で保護板および扉が閉状態の縦断面図である。
【図６】本発明の第３の実施の形態を示した図で保護板（2点鎖線で表す）が閉状態で扉を除いた正面図である。
【図７】本発明の第３の実施の形態を示した図で保護板用蝶番構造を表す斜視図である。
【図８】本発明の第３の実施の形態を示した図で図６のＢ−Ｂ線の横断面図である。
【図９】本発明の第３の実施の形態を示した図で図６のＣ−Ｃ線の保護板が閉状態の横断面図である。
【図１０】本発明の第３の実施の形態を示した図で図６のＣ−Ｃ線の保護板が開状態の横断面図である。
【発明を実施するための形態】
【００２２】
以下、本発明の好ましい実施の形態について説明する。
【００２３】
本発明の第１の実施の形態を図１にて説明する。
【００２４】
電気電子機器収納用キャビネット１は本体２に扉蝶番３により蝶着された扉４で、内部機器５が取り付けられた基板６が収納され、保護板用蝶番７により蝶着された保護板８で覆い内部機器５や充電部（図示せず）を保護し、操作窓９により安全に操作できる構造となっている。
【００２５】
扉４には本体２に設けられたステー受け具１０と扉４に設けられたステー格納具１１およびステー１２で構成された扉ストッパ装置５０で扉４の開放状態を保持する構造である。
【００２６】
保護板８にはストッパ機能を有する保護板用蝶番７で蝶着した保護板ストッパ装置５１で保護板８の開放状態を保持する構造となっている。
【００２７】
したがって扉４と保護板８双方ともに開放状態が保持できるので、強風や人体あるいは物体の衝突など外力による扉４と保護板８の閉鎖を防ぐことができ施工や点検作業が安全且つ容易に行えるキャビネットを提供できる。
【００２８】
本発明の第２の実施の形態を図２〜図５を用いて説明する。
【００２９】
図２は図１のＡ−Ａ線の横断面図で、Ｄ、Ｅは各々扉４、保護板８の回動軌跡を表す。
【００３０】
本体２の前面開口部上辺１４にはステー受け具１０が固着されてあり、ステー受け具１０は固着面１０ａと保護板８に対し並行する平面部１０ｂと垂直となる垂直面１０ｃとから成り垂直面１０ｃにはステー１２の掛止穴１５が設けてある。
【００３１】
ステー受け具１０に対応する扉４の内面にはステー格納具１１が固着されてあり、ステー格納具１１にはステー１２の一方の端部は脱落防止を施し回動自在に係止されてあり、残る一方の端部は折り曲げ加工を施したＬ形状１２ａを成し、扉４を開放したときはステー受け具１０の掛止穴１５に掛止することにより開放状態を保持する。また、扉４が閉状態の時はステー格納具１１に施した収納穴１６にＬ形状１２ａ部を掛止格納する。
【００３２】
保護板８には扉４が開放保持状態にあるときステー１２に干渉することなく保護板８が回動可能な切り込み１７が施してある。又、切り込み１７に対応した位置に固着されたステー受け具１０の平面部１０ｂは切り込み１７に対応した形状および大きさとし、保護板８を閉状態にしたとき平面部１０ｂで切り込み１７を塞ぎ隙間が最小となるように構成してある。
【００３３】
即ち、扉４を開放状態に保持した状態でも保護板８は切り込み１７にステー１２が位置するためステー１２に干渉することなく回動が可能となり、施工の容易性や安全性が向上した。更に、保護板８が閉状態の時、切り込み１７はステー受け具１０により塞がれ隙間が最小となるため、人体（特に手、指）や工具が内部機器５や充電部（図示せず）に触れる恐れがなく日常の操作においても安全性に貢献できるキャビネットの提供が可能となった。
【００３４】
本発明の第３の実施の形態を図６〜図１０を用いて説明する。
【００３５】
保護板８は保護板用蝶番７に組み込まれた蝶番軸１８の先端挿入部１８ａが本体２に固着された保護板用蝶番支持具１９の蝶番軸挿入穴２０に蝶着された構造である。
【００３６】
尚、保護板用蝶番７は蝶番軸１８の挿通穴２１、２１を有する相対向する軸保持片７ａ、７ａと、蝶番軸１８の胴部に設けたねじ穴２１に螺着する蝶番軸固定ねじ２３と長穴形状のねじ挿通穴２４を有する蝶番軸固定面７ｂと、保護板用蝶番７の取付ねじ穴２５、２５を有する取付面７ｃからなる。
【００３７】
保護板８は断面略コ字形状に折り曲げ形成され、その窪み部には保護板用蝶番７の取付面７ｃに施された取付ねじ穴２５と断面略コ字形状に折り曲げ形成された蝶番取付面８ａのねじ挿通穴２６に蝶番取付ねじ２７により螺着されている。
【００３８】
保護板用蝶番７の相対向する軸保持片７ａ、７ａの端部に設けられた凹部２８、２８には略Ｌ形状の回動ストッパ１３が挿通され略Ｌ形状の折り曲げ面１３ａは蝶番軸１８に掛止し保護板８の回動と連動する。又、回動ストッパ１３の先端の係止部１３ｂは保護板用蝶番７の軸保持片７ａより突出した構造となっている。
【００３９】
略Ｕ形状の保護板用蝶番支持具１９の相対抗する二面の一方は本体２の固着面１９ａで、他方の面１９ｂには保護板用蝶番７の軸保持片７ａと並行を成す蝶番受け面１９ｃを形成し、蝶番受け面１９ｃには蝶番軸１８の先端挿入部１８ａの装着穴２９を有する。
【００４０】
又、略Ｕ形状の底面１９ｄにはばね３０と抜け止めワッシャー３１により垂直方向に付勢するストッパピン３２が設けてありその頭部３２ａは、保護板８の回動に連動する回動ストッパ１３の係止部１３ｂにより押し下げられる回動軌跡Ｆ上に位置するように構成してある。
【００４１】
尚、ストッパピン３２を立設させるガイド穴は略Ｕ形状の底面１９ｄと一体のバーリング穴３３としたがストッパピン３２とギャップが小さくガイド部分が大きいのが望ましいため別部品としても良い。
【００４２】
蝶番軸固定ねじ２３を緩めることにより蝶番軸１８は長穴形状のねじ挿通穴２４の範囲で摺動自在となり保護板８の着脱が容易に行える。更に、係止部１３ｂが保護板用蝶番支持具１９の他方の面１９ｂに当接し保護板８の全開角度が定まる。
【００４３】
上記の構造により、垂直方向に付勢したストッパピン３２は保護板８の回動に連動する回動ストッパ１３の係止部１３ｂの回動軌跡Ｆ上に位置する。したがって保護板８の回動動作に伴い蝶番軸１８を中心に円弧軌跡を描く係止部１３ｂはストッパピン３２の頭部３２ａを押し下げながら開状態となる。
【００４４】
保護板８の回動の完了に伴い係止部１３ｂがストッパピン３２の頭部３２ａを押し下げながら通過すると押し下げられ収縮していたばね３０が復元、ストッパピン３２が垂直方向に付勢することにより頭部３２ａは係止部１３ｂの回動軌跡Ｆ上に復元する。
【００４５】
即ち、保護板８の開動作に伴い回動軌跡Ｆ内に復元した頭部３２ａの側部に係止部１３ｂが当接し保護板８は開放状態を保持する。
【００４６】
又、保持状態を解除する場合はストッパピン３２のつまみ部３２ｂを引きストッパピン３２の頭部３２ａを係止部１３ｂの回動軌跡Ｆ上から離脱させることにより保護板８の閉動作が可能となる。
【００４７】
以上のように、従来の扉ストッパ装置で必要であった本体側のステー受け具あるいは保護板の内面のステー格納具が不用となり、更に保護板を開放状態に保持するステーも必要なくなるため、施工作業が容易に行える上に従来の扉ストッパ装置と併用できるなど安全で施工容易なキャビネットを提供できる。
【００４８】
尚、本発明では扉ストッパ装置を本体の上部に設けたが、扉ストッパ装置に必要なステーやステー受け具が施工や点検作業時の障害にならないように配慮したためで上部に限定したわけではない。
【符号の説明】
【００４９】
１      電気電子機器収納用キャビネット
２      本体
４      扉
７      保護板用蝶番
８      保護板
１０    ステー受け具
１１    ステー格納具
１２    ステー
１３    回動ストッパ
１３ｂ  係止部
１７    切り込み
１８    蝶番軸
１９    保護板用蝶番支持具
１９ｄ  底面
２０    蝶番軸挿入穴
３２    ストッパピン
３２ａ  頭部
５０    扉ストッパ装置
５１    保護板ストッパ装置
Ｆ    回動軌跡
【図１】
2010174445.tif 000003
【図２】
2010174445.tif 000004
【図３】
2010174445.tif 000005
【図４】
2010174445.tif 000006
【図５】
2010174445.tif 000007
【図６】
2010174445.tif 000008
【図７】
2010174445.tif 000009
【図８】
2010174445.tif 000010
【図９】
2010174445.tif 000011
【図１０】
2010174445.tif 000012